(57)【要約】【課題】スピーカ装置としての機能を損なうことなくデザインの自由度を高めた縦長スピーカ装置を提供する。【解決手段】スピーカ装置は、たとえば高さが底辺の１０倍以上の縦長の筐体を有する。筐体は、縦方向に分割された複数の部材を前後方向に接合して構成され、その表面に接合された複数の部材の接合部をまたいでシート状部材が貼り付けられている。シート状部材は、たとえば、厚さが０．５ミリメートル以上の人造皮革などが好適である。【選択図】図６
2015041833.tif 000002
【特許請求の範囲】
【請求項１】
縦方向に分割された複数の部材を前後方向に接合して構成された縦長の筺体を有するスピーカ装置であって、
前記筺体表面に、前記複数の部材の接合部をまたいでシート状部材を貼り付けたことを特徴とするスピーカ装置。
【請求項２】
前記筐体は、柱状であり、高さが底面の辺、対辺または直径の１０倍以上である請求項１に記載のスピーカ装置。
【請求項３】
前記筐体は、背面にバッフル板を有し、
前記シート状部材は、前記バッフル板の反対側の面から全周にわたって貼り付けられている請求項１または請求項２に記載のスピーカ装置。
【請求項４】
前記シート状部材は、厚さが０．５ミリメートル以上の人造皮革である請求項１乃至請求項３のいずれかに記載のスピーカ装置。
【請求項５】
前記筐体は、その内部が上下方向に、上面の開口部を含み、第１のスピーカユニットが収容される上層ボックス、前記バッフル板を含み、第２のスピーカユニットが収容される中層ボックス、および、電子回路が収容される下層ボックスを含む複数の層に区切られている請求項１乃至請求項４のいずれかに記載のスピーカ装置。
【発明の詳細な説明】
【技術分野】
【０００１】
本発明は、縦長または柱状のスピーカ装置に関する。
【背景技術】
【０００２】
スピーカ装置は、一般的に、特許文献１などに示されるように直方体の筐体を有している。直方体のうち１面をスピーカユニットが取り付けられるバッフル板とし、このバッフル板をユーザ方向に向けて設置される。
【先行技術文献】
【特許文献】
【０００３】
【特許文献１】特開２００８−１６０４８９号公報
【発明の概要】
【発明が解決しようとする課題】
【０００４】
上のようなスピーカ装置の形状は、安定性や空間効率などの点で合理的な形状であるが、形状に変化がなくデザインに多様性がなかった。
【０００５】
本発明は、スピーカ装置としての機能を損なうことなくデザインの自由度を高めたスピーカ装置を提供することを目的とする。
【課題を解決するための手段】
【０００６】
この発明は、縦方向に分割された複数の部材を前後方向に接合して構成された縦長の筺体を有するスピーカ装置であって、筺体表面に複数の部材の接合部をまたいでシート状部材を貼り付けたことを特徴とする。
【０００７】
この発明において、筐体を柱状にし、高さを底面の辺、対辺または直径の１０倍以上としてもよい。
【０００８】
この発明において、筐体の背面にバッフル板を設け、シート状部材をバッフル板の反対側の面から全周にわたって貼り付けてもよい。
【０００９】
この発明において、シート状部材として、厚さが０．５ミリメートル以上の人造皮革を用いてもよい。
【００１０】
この発明において、筐体の内部が上下方向に複数の層に区切られ、複数の層に、上面の開口部を含み第１のスピーカユニットが収容される上層ボックス、バッフル板を含み第２のスピーカユニットが収容される中層ボックス、および、電子回路が収容される下層ボックスが含まれていてもよい。
【発明の効果】
【００１１】
この発明によれば、スピーカ装置を、その機能を損なうことなく、縦長・柱状にするなど筐体のデザインの自由度を高くすることができる。
【図面の簡単な説明】
【００１２】
【図１】この発明の実施形態に係るスピーカ装置の外観図
【図２】スピーカ装置の内部構成図
【図３】スピーカ装置のスピーカグリルを取り外した状態の背面図
【図４】スピーカ装置の前後筐体の分解図
【図５】前後筐体および表面シートを示す図
【図６】筐体の組み立て工程を示す図
【図７】スピーカ装置の上端に設けられるヘッドピースの斜視図
【図８】スピーカ装置の設置形態の例を示す図
【発明を実施するための形態】
【００１３】
以下、図面を参照して本発明の実施形態に係るスピーカ装置について説明する。図１は、この発明の実施形態に係るスピーカ装置の外観図であり、図１（Ａ）が正面図、図１（Ｂ）が右側面図、図１（Ｃ）が背面図である。図２は、スピーカ装置の内部構成図である。図３は、スピーカグリルを取り外したスピーカ装置の背面図である。
【００１４】
本発明の実施形態に係るスピーカ装置１は、複数のスピーカが収容される筐体１１、筺体１１を床面から支持する円板状のベース１４、および、筺体１１とベース１４とを接続する棒状のピロー１３を備えている。筐体１１は、ピロー１３およびベース１４によって支持されて鉛直方向に立設される。
【００１５】
筐体１１は、略四角柱の形状をなしており、上方向に向けて若干幅が狭まっている。すなわち、正確には四角錐台形状（四角錐の頂点側（頭部）を底面に平行な面で水平に切削した形状）である。筐体１１の側面は、鉛直線に対して２パーセント傾斜している。スピーカ装置１は、２つの側面に挟まれる稜線部１９を正面（ユーザ方向）にして設置される。以下の説明では、正面方向を前方、背面方向を後方と呼ぶ。また、左右の方向は、正面方向のユーザからスピーカ装置１を見たときの方向を用いる。
【００１６】
このスピーカ装置１では、スピーカユニットは、前向きでなく後ろ向きに設けられている。このため、図１（Ｂ），（Ｃ）に示されるように、筺体１１の背面側にスピーカグリル１２が設けられている。これにより、スピーカ装置１の正面側には、スピーカグリル１２を設ける必要がなくなる。
【００１７】
図１、図２に示すように、筐体１１の内部は、２枚の仕切り板によって仕切られており、上下方向に３つの空間を有する構造になっている。上部の空間がスピーカユニット２０を収容する中音域用スピーカボックス３０、中央部の空間がスピーカユニット２１、２２を収容するステレオスピーカボックス３１、下部の空間が電子回路を収容する回路ボックス３２として用いられる。
【００１８】
図２および図３に示すように、ステレオスピーカボックス３１は、背面側に開口しており、この開口部にバッフル板２４が設けられている。このバッフル板２４に、スピーカユニット２１、２２、および、バスレフポート２３が取り付けられている。スピーカユニット２１は、右チャンネルのスピーカユニットであり、斜め右後方に向けて取り付けられている。スピーカユニット２２は、左チャンネルのスピーカユニットであり、斜め左後方に向けて取り付けられている。バスレフポート２３は、ダクトを介してステレオスピーカボックス３１内部に開口している。バッフル板２４は、スピーカグリル１２に覆われている。図１（Ｂ）に示すように、スピーカグリル１２は、ほぼ筺体１１と面一に形成された金属メッシュからなる。
【００１９】
また、中音域用スピーカボックス３０は上面に開口しており、この開口部にスピーカユニット２０が上向きに取り付けられている。スピーカユニット２０のさらに上には、スピーカユニット２０から放音された音声を前方に反射するヘッドピース１０が設けられている。
【００２０】
ここで、図４〜図６を参照して筐体１１について説明する。図４は、前後筐体１１Ａ，Ｂの分解図である。図５は、前後筐体１１Ａ，Ｂおよび表面シート１１Ｃを示す図、図６は、筐体１１の組み立て工程を示す図である。
【００２１】
略四角柱の形状をしている筺体１１は、図４、図５に示すように、前筺体１１Ａ、後筺体１１Ｂ、および、表面シート１１Ｃからなる。前筺体１１Ａは、略四角柱の筺体１１を左右の側辺（稜線）を境界に２分割した前部分からなり、後筺体１１Ｂは、略四角柱の筺体１１を左右の側辺を境界に２分割した後部分からなる。前後筐体１１Ａ，Ｂは、樹脂性であり、厚みは約２．５ｍｍである。また、表面シート１１Ｃは、人造皮革および接着テープからなり、厚みは約１ｍｍである。
【００２２】
図２の内部構成図は、前筺体１１Ａを取り外した状態のスピーカ装置１を斜め前方から見た斜視図である。バッフル板２４は後筺体１１Ｂの一部として形成され、図２に示したように、このバッフル板２４にスピーカユニット２１、２２が取り付けられる。前筺体１１Ａは、外側は、図１に示す装置前面の外観を実現する滑らかな形状であり、内側は、筐体１１の強度を増すために、縦横に多数のリブが形成されている。
【００２３】
図６は、図２とは逆の方向（後方）から見た筺体１１の組み立て工程を示す図である。図６（Ａ）は、前後筺体１１Ａ，Ｂを接合し３２本のビスで固定する工程を示している。後筐体１１Ｂには、ビスを嵌通させるためのビス穴が開設されている。また、図６（Ｂ）は、組み上がった前後筺体に表面シート１１Ｃを被覆する工程を示す図である。表面シート１１Ｃは、図５および図６（Ｂ）に示すように、予め筺体１１の形状に切り抜かれており、筐体正面の稜線部１９を中心にして左右方向に巻きつけるように前後筐体１１Ａ，Ｂを跨いで貼り付けられる。このように表面シート１１Ｃは筺体１１の４つの側面を１枚でカバーするシートである。表面シート１１Ｃは、筐体１１の正面を中心にして筺体１１全体に貼り付けられるため、正面からは表面シート１１Ｃの境目が見えず、ユーザ視線からは、切れ目のない滑らかな外観が見える。また、この表面シート１１Ｃにより、図６（Ａ）に示した多数のビス穴も隠すことができる。なお、バッフル板２４上のビスや電子回路ボックス３２内のビス穴は、それぞれスピーカグリルや電子回路ボックス３２の蓋によって隠される。また、表面シート１１Ｃは、前筐体１１Ａと後筐体１１Ｂの接合部を跨いで貼り付けられるため、この接合を補強し、変形や空気漏れを防止する。
【００２４】
本実施形態のスピーカ装置１のような縦長（例えば、高さが底面の最大径の１０倍以上）の構造の場合、従来の単純なボックス型の構造に比べて設置時の重心が高く安定性に欠ける。このため、前後筺体１１Ａ，Ｂの樹脂の厚みを、一般的な３ｍｍから２．５ｍｍに薄くし、上部の重量を軽くして安定性を向上させた。一方で、縦長の前後筺体１１Ａ，Ｂを接合した構造では、ねじれなどの変形が起こりやすく、変形すると、前後筺体１１Ａ，Ｂの接合部からスピーカボックスの空気漏れが生じて音質が低下する。さらに、変形を防止するために、筺体内部に補強のための大きなリブを設けると、筺体表面にリブ形成に伴う窪みであるヒケを生じ、外観上の美観が低下する。また、筺体１１の厚さが薄いと、スピーカユニット２１，２２の放音に伴って筺体１１自体が振動してノイズ（箱鳴り）が発生する場合がある。
【００２５】
この実施形態では、前後筺体１１Ａ，Ｂの表面に表面シート１１Ｃを貼り付けることで、これらの問題点を解決した。表面シート１１Ｃは、人造皮革のシート本体が約０．８ｍｍ、貼り付け用の両面接着テープが約０．２ｍｍ、合計約１ｍｍの厚みである。厚みが約１ｍｍであっても、シートは樹脂に比べて重量は軽く、軽量化が損なわれることはない。この厚みは、後述の制振性や機密性と重量との兼ね合いで決定されればよく、概ね０．５ｍｍ〜２ｍｍ程度の厚みであればよい。なお、一般の化粧板として貼り付けられている塩化ビニール（ＰＶＣ）シートは０．２ｍｍ程度の厚みである。厚さのある表面シート１１Ｃを前後筺体１１Ａ，Ｂの全周に貼り付けることで、変形を抑えるとともに空気漏れを無くし（気密性）、振動を抑えて箱鳴りを防止し（制振性）、リブのヒケやビス穴を隠して外観の美観を向上している。
【００２６】
図７は、ヘッドピースの斜視図である。ヘッドピース１０は、放音口１１０を有する上部の本体部１０１と、本体部１０１の上面に配置された天板１０２と、下部のスカート１０６を備えている。本体部１０１の形状は略立方体である。ヘッドピース１０の底板１０３には、その中央部に円形の開口部１０３Ａが形成されている。開口部１０３Ａの口径は、スピーカユニット２０の口径とほぼ同じである。
【００２７】
本体部１０１の内側には、背板１０４である２つの側面１１３，１１４に挟まれた辺の下側の頂点１０５Ｃと、放音口１１０である（切り欠かかれた）２つの側面１１１、１１２の上辺とをつなぐ２つの三角形の面であるリフレクタ１０５（１０５Ａ，１０５Ｂ）が形成されている。本体部１０１は略立方体であるため、リフレクタ１０５の左右の面１０５Ａ、１０５Ｂは、それぞれ底板１０３などの水平面に対して約４５度の角度をなしている。
【００２８】
スピーカユニット２０の放音面は、ヘッドピース１０の下方かつ同じ中心軸で真上に向けて設置されている。また、ヘッドピース１０のリフレクタ１０５の面は、スピーカユニット２０の放音面に対向して配置され、その傾斜角度は約４５度である。そのため、スピーカユニット２０から上方向に放音された音声は、図７に示す矢印２０１のようにリフレクタ１０５で反射されて左右の斜め前方に広がるように伝搬される。これにより、スピーカユニット２０から音声が上向きに放音されても、リフレクタ１０５で反射されて筐体１１側面の前面側から前方左右方向に、損失少なく伝搬することが可能になる。
【００２９】
図８は、スピーカ装置１の設置形態の一例を示す図である。スピーカ装置１は、部屋の隅（例えばコーナー）に壁を背にして設置される。スピーカ装置１が背面側を部屋の壁に向けて設置された場合、スピーカユニット２１，２２から放音された音声は壁面で反射される。これにより、スリムな筐体から放音された音声でも広がりを持った響きにすることができる。このとき、中音域の音声が壁面での反射によって不明瞭になるが、本実施例においてはスピーカユニット２０から中音域の音声が放音されるので、左右チャンネルの音声の全音域を明瞭に響かせることができる。また、筐体１１の前面にスピーカユニットやスピーカグリルを設けていないので、前面側のデザインの自由度も高くなる。
【００３０】
なお、スピーカ装置１の筐体１１の形状は四角錐台形状に限るものではなく、円錐台形状、円柱状、多角柱状など概ね柱状であればよい。また、筺体１１の分割の形状や分割数はこの実施形態に限定されない。また、表面シート１１Ｃの材質は、人造皮革が好適であるが、これに限定されない。たとえば、布地などであってもよい。
【符号の説明】
【００３１】
１  スピーカ装置
１０  ヘッドピース
１１  筐体
１１Ａ  前筐体
１１Ｂ  後筐体
１１Ｃ  表面シート
２０、２１、２２  スピーカユニット
３０  中音域用スピーカボックス
３１  ステレオスピーカボックス
３２  回路ボックス
【図１】
2015041833.tif 000003
【図２】
2015041833.tif 000004
【図３】
2015041833.tif 000005
【図６】
2015041833.tif 000006
【図７】
2015041833.tif 000007
【図８】
2015041833.tif 000008
【図４】
2015041833.tif 000009
【図５】
2015041833.tif 000010